(57)【要約】【課題】家畜糞尿処理設備の原料投入ゲートを、開放時の原料投入作業がしやすく、かつ原料投入口の大きさによらず安価に製造できるものとすることである。【解決手段】原料投入口５を塞ぐゲート板１１を、コンベヤ配設溝７の側壁の上部に取り付けた単列型ホイールコンベヤ１４により水平面内でスライド可能に支持し、その裏面側にスライド方向に延びるチェーン１６を取り付けて、このチェーン１６を電動機１２に駆動されて回転するスプロケット１９に掛け、電動機１２駆動でゲート板１１をスライドさせて投入口５の開閉を行うようにすることにより、開放時には投入口５の四方から原料を投入できるとともに、投入口５の大きさによらず一定の仕様の電動機１２を用いて製造できるようにしたのである。【選択図】図６
2006103922.tif 000002
【特許請求の範囲】
【請求項１】
家畜糞尿処理設備の原料となる糞尿の収集場所の床面に設けた原料投入口を開閉する原料投入ゲートにおいて、前記投入口を塞ぐゲート板を水平面内でスライド可能に支持し、このゲート板を電動機で駆動してスライドさせることにより、前記投入口の開閉を行うようにしたことを特徴とする家畜糞尿処理設備の原料投入ゲート。
【請求項２】
前記ゲート板を電動機で駆動してスライドさせる手段が、前記ゲート板にそのスライド方向に延びるチェーンを取り付け、このチェーンを前記電動機に駆動されて回転するスプロケットに掛けたものであることを特徴とする請求項１に記載の家畜糞尿処理設備の原料投入ゲート。
【発明の詳細な説明】
【技術分野】
【０００１】
本発明は、家畜の糞尿を有効利用できるように処理する設備において、原料となる糞尿の収集場所の床面に設けた原料投入口を開閉する原料投入ゲートに関する。
【背景技術】
【０００２】
近年、酪農業においては、家畜の糞尿を発酵させてメタンガスを取り出すバイオガスプラント等、家畜糞尿を有効利用できるように処理する設備の導入が進められている。このような家畜糞尿処理設備では、一般に、原料となる糞尿を家畜舎内からホイールローダ等の作業車で掻き集めて、その収集場所の床面に設けた原料投入口から投入し、投入口の下方に設けたコンベヤで受入槽まで搬送している。
【０００３】
上記家畜糞尿処理設備の原料投入口は、通常、投入作業時以外は作業車や家畜の通行の妨げとならないように、投入口を塞ぐ大きさのゲート板を備えた原料投入ゲートで開閉可能とされている。このゲートの開閉方法としては、一端が投入口周縁部に固定されたゲート板を回動させて跳ね上げる方法や、投入口に落とし込む方法がある。しかし、ゲート板を跳ね上げる方法では、ゲート板を固定した側からは原料の投入を行うことができず、作業性が低下するし、ゲート板を落とし込む方法では、投入口を閉じているときに作業車や家畜の重量を支えられる構造とする必要があり、コストが高くなる。このため、ゲート板を水平面内でスライド可能に支持し、油圧または空圧シリンダでスライドさせる方法を採ることが多い（例えば、特許文献１参照）。
【０００４】
しかしながら、上述したスライド式の原料投入ゲートは、ゲート板をスライドさせるシリンダのストロークに限界があるため、投入口の大きさに合わせてシリンダの仕様を決定する必要がある。特に、最近では、原料投入作業の効率化を目的とした作業車の大型化に伴って投入口を大きくとる傾向にあるため、シリンダの大型化によるコストアップが問題となっている。また、投入口を大きくとる場合に、ゲート板を二つ割りにして別々のシリンダでスライドさせるようにすれば、シリンダを大きくする必要はなくなるが、シリンダ本数の増加等によりコストはやはり高くなる。
【特許文献１】特開２００１−２１９１９８号公報（図１）
【発明の開示】
【発明が解決しようとする課題】
【０００５】
本発明の課題は、家畜糞尿処理設備の原料投入ゲートを、開放時の原料投入作業がしやすく、かつ原料投入口の大きさによらず安価に製造できるものとすることである。
【課題を解決するための手段】
【０００６】
上記の課題を解決するために、本発明は、家畜糞尿処理設備の原料となる糞尿の収集場所の床面に設けた原料投入口を開閉する原料投入ゲートにおいて、前記投入口を塞ぐゲート板を水平面内でスライド可能に支持し、このゲート板を電動機で駆動してスライドさせることにより、前記投入口の開閉を行うようにした。
【０００７】
すなわち、原料投入ゲートを、ゲート板を水平面内でスライドさせる方式とすることにより、開放時には投入口の周囲のいずれの方向からでも原料を投入できるようにするとともに、ゲート板の駆動を電動機で行うことにより、投入口の大きさによらず一定の仕様の電動機を用いて製造できるようにしたのである。
【０００８】
前記ゲート板を電動機で駆動してスライドさせる手段としては、前記ゲート板にそのスライド方向に延びるチェーンを取り付け、このチェーンを前記電動機に駆動されて回転するスプロケットに掛けたものを採用することができる。
【発明の効果】
【０００９】
本発明の原料投入ゲートは、上述したように、原料投入口を塞ぐゲート板を電動機で駆動して水平面内でスライドさせるもので、開放時には投入口の周囲のいずれの方向からでも原料を投入できるので、原料投入作業を効率よく行うことができ、家畜用の広場や運動場等の中央に設けた投入口に対して有効に適用することができる。また、原料投入口の大きさによらず一定の仕様の電動機を使用できるので、投入口が大きくなっても安価に製造することができる。
【発明を実施するための最良の形態】
【００１０】
以下、図面に基づき、本発明の実施形態を説明する。図１は、実施形態の原料投入ゲート１を設けた家畜糞尿処理設備の原料受入部を示す。この原料受入部では、原料となる糞尿２をホイールローダ３で家畜舎４内から掻き集めて、その収集場所の床面に設けた原料投入口５からコンベヤ６を配設した溝７内に投入し、コンベヤ６で図示省略した受入槽まで搬送している。
【００１１】
図２および図３（ａ）、（ｂ）に示すように、前記コンベヤ６を配設した溝７は、大部分が矩形の蓋板８で覆われており、蓋板８で覆われていない部分の開口が原料投入口５となっている。原料投入口５は、投入作業時以外はホイールローダ３や家畜等の通行の妨げとならないように原料投入ゲート１で閉じられている。なお、コンベヤ配設溝７を覆う各蓋板８は、その裏面側に形成された長手方向の２本の突条９が溝７に嵌め込まれているが（図５参照）、表面側の２箇所に取り付けられた埋込式の取手１０を用いて人手で簡単に着脱できるようになっている。
【００１２】
前記原料投入ゲート１は、原料投入口５を塞ぐゲート板１１を水平面内で長手方向にスライド可能に支持し、このゲート板１１を電動機１２で駆動してスライドさせることにより投入口５の開閉を行うものである。なお、ゲート板１１のスライド許容範囲からのはみ出しを防止するために、ゲート板１１の開限位置および閉限位置でゲート板１１の長手方向端面と当接するストッパ１３がコンベヤ配設溝７内に設けられている。
【００１３】
前記ゲート板１１は、図３乃至図６に示すように、その両側部をコンベヤ配設溝７の側壁の上部に取り付けられた単列型ホイールコンベヤ１４で支持されており、溝７側壁の上端に取り付けられた断面Ｌ字型の浮き上がり防止ガイド１５に案内されて、水平にスライドするようになっている。また、その裏面中央にはスライド方向に延びるチェーン１６が取り付けられており、このチェーン１６を介して後述するように電動機１２により駆動される。なお、表面側の長手方向両端部には、非常開閉用の取手１７が設けられている。
【００１４】
前記電動機１２は、コンベヤ配設溝７の側壁に設けられた取付台１８に取り付けられ、同じ取付台１８に固定されてゲート板１１裏面のチェーン１６を掛けられたスプロケット１９と減速機構２０を介して連結されている。従って、電動機１２でスプロケット１９を回転させることにより、チェーン１６を送ってゲート板１１をスライドさせることができる。なお、図示は省略するが、電動機１２の馬力以上の力がかかってもゲート板１１が開かないように、ゲート板１１閉時の固定用機器としてはソレノイドが使用されている。
【００１５】
この原料投入ゲート１は、上記の構成であり、ゲート板１１を水平にスライドさせて投入口５の開閉を行うので、開放時には投入口５の周囲のいずれの方向からでも原料を投入することができ、投入作業がしやすい。しかも、ゲート板１１の駆動を電動機１２で行うため、投入口５が大きくなっても、電動機１２の容量の範囲内でゲート板１１およびその移動距離を大きくして対応することができ、投入口５が大きくなるほどストローク量の大きいものが必要となるシリンダを使用する場合に比べて、安価に製造できる。また、ゲート板１１の素材に軽量のものを選べば、より容量が小さく安価な汎用電動機も使用できるようになる。
【００１６】
なお、上述した実施形態では、ゲート板を電動機で駆動する手段として、スプロケットとチェーンを組み合わせた方式を採用したが、ラックピニオン方式やねじ送り機構等を採用することもできる。
【図面の簡単な説明】
【００１７】
【図１】実施形態の原料投入ゲートを設けた家畜糞尿処理設備の原料受入部の概略図
【図２】図１の原料受入部の拡大平面図
【図３】ａ、ｂは、それぞれ図２のＡ−Ａ線、Ｂ−Ｂ線に沿った拡大断面図
【図４】図２のＣ−Ｃ線に沿った拡大断面図
【図５】図２のＤ−Ｄ線に沿った拡大断面図
【図６】実施形態の原料投入ゲートの一部切欠き斜視図
【符号の説明】
【００１８】
１  原料投入ゲート
５  原料投入口
６  コンベヤ
７  溝
８  蓋板
１１  ゲート板
１２  電動機
１３  ストッパ
１４  ホイールコンベヤ
１５  ガイド
１６  チェーン
１８  取付台
１９  スプロケット
２０  減速機構
【図１】
2006103922.tif 000003
【図２】
2006103922.tif 000004
【図３】
2006103922.tif 000005
【図４】
2006103922.tif 000006
【図５】
2006103922.tif 000007
【図６】
2006103922.tif 000008